(57)【要約】【課題】  車載機器における項目設定作業として複数の項目候補の中から特定項目を選択設定する際に、運転状況に応じて効率よく項目の設定操作を行わせる。【解決手段】  車載機器用情報提示装置１０においては、運転状況検出部１９によって検出された運転状況に応じて、項目を選択操作する手段として、表示情報として提示された項目候補の中から特定項目を選択する表示情報用項目選択部１１と音声情報として提示された項目候補の中から特定項目を選択する音声情報用項目選択部１２とを項目選択方式切替部１３によって切り替える。これにより、車載機器用情報提示装置１０においては、検出された運転状況に応じた適切な項目設定作業を行うことが可能となる。【選択図】      図１
2005053331.tif 000002
【特許請求の範囲】
【請求項１】
車載機器における項目設定作業として複数の項目候補の中から特定項目を選択させる車載機器用情報提示装置において、
ユーザの運転状況を検出する運転状況検出手段と、
複数の項目候補を表示情報として表示すると共に、表示用項目選択操作手段がユーザに操作されることに応じて、表示させている項目候補の中から、ユーザの操作により選択された特定項目を認識する表示情報用項目選択手段と、
複数の項目候補を音声情報として出力する共に、音声用項目選択操作手段がユーザに操作されることに応じて、音声情報として出力した項目候補の中から、ユーザの操作により選択された特定項目を認識する音声情報用項目選択手段と、
前記運転状況検出手段により検出された運転状況に応じて、前記表示情報用項目選択手段と前記音声情報用項目選択手段とのうち、何れかを前記特定項目を認識する手段として切り替える項目選択方式切替手段と、
前記音声情報用項目選択手段を介した音声出力による情報提示内容を変更する音声用情報提示内容変更手段と
を備えることを特徴とする車載機器用情報提示装置。
【請求項２】
前記項目選択方式切替手段は、前記運転状況が停止中である場合には、前記特定項目を認識する手段を前記表示情報用項目選択手段に切り替え、前記運転状況が運転中である場合には、前記特定項目を認識する手段を前記音声情報用項目選択手段に切り替えることを特徴とする請求項１に記載の車載機器用情報提示装置。
【請求項３】
停止中において前記表示情報用項目選択手段を前記特定項目を認識する手段として使用している最中に、前記運転状況検出手段により検出された運転状況が停止中から運転中に遷移したことが検出された場合には、停止中に実行された前記表示情報用項目選択手段による項目選択作業の残量を検出する項目選択作業残量検出手段を更に備え、
前記項目選択方式切替手段は、前記項目選択作業残量検出手段によって検出された項目選択作業の残量が所定値以上である場合にのみ、前記特定項目を認識する手段を前記音声情報用項目選択手段に切り替え、
前記音声用情報提示内容変更手段は、前記項目選択作業残量検出手段によって検出された項目選択作業の残量の大きさに応じて、音声出力による情報提示内容を変更することを特徴とする請求項２に記載の車載機器用情報提示装置。
【請求項４】
前記項目選択作業残量検出手段は、運転中において前記音声情報用項目選択手段による項目選択作業を実行している最中に、前記運転状況検出手段により検出された運転状況が運転中から停止中に遷移したことが検出された場合には、運転中に実行された当該音声情報用項目選択手段による項目選択作業の残量を検出し、
前記項目選択方式切替手段は、前記項目選択作業残量検出手段によって検出された項目選択作業の残量が所定値以上である場合にのみ、前記特定項目を認識する手段を前記表示情報用項目選択手段に切り替えることを特徴とする請求項３に記載の車載機器用情報提示装置。
【請求項５】
前記音声用情報提示内容変更手段は、前記音声情報用項目選択手段を介した音声出力による情報提示内容を複数の階層に分割し、当該音声情報用項目選択手段を介して最上層から順次に読み上げさせることを特徴とする請求項１〜請求項４の何れかに記載の車載機器用情報提示装置。
【請求項６】
前記音声用情報提示内容変更手段は、読み上げるべき階層又は単語を設定する階層・単語設定操作手段を介して設定された階層又は単語から前記音声情報用項目選択手段を介して順次読み上げさせると共に、読み上げ話速を設定する読み上げ話速設定操作手段を介して設定された読み上げ話速で前記音声情報用項目選択手段を介して順次読み上げさせることを特徴とする請求項５に記載の車載機器用情報提示装置。
【請求項７】
前記音声用情報提示内容変更手段は、操舵操作状況又はナビゲーションシステムのカーブ情報に基づいて検出される操舵頻度が所定値以上であると判定した場合には、項目候補の個数に応じて、どの階層の音声出力による情報提示内容から提示を開始するかを決定することを特徴とする請求項５又は請求項６に記載の車載機器用情報提示装置。
【請求項８】
前記音声用情報提示内容変更手段は、前記音声情報用項目選択手段を介した音声出力による情報提示内容に関する各階層における読み上げについて、当該音声情報用項目選択手段を介して読み上げさせる順序を過去の操作履歴に基づいて決定し、操作履歴が最も多いものが該当する読み上げ内容から順次読み上げさせることを特徴とする請求項５〜請求項７の何れかに記載の車載機器用情報提示装置。
【請求項９】
前記音声用情報提示内容変更手段は、前記音声情報用項目選択手段を介して最初に読み上げさせる項目についての読み上げ話速を遅くすることを特徴とする請求項８に記載の車載機器用情報提示装置。
【発明の詳細な説明】
【技術分野】
【０００１】
本発明は、車載機器に各種処理を行わせるために、ユーザにより処理項目の選択を促す提示をし、複数の処理項目候補の中から特定の処理項目を選択させる車載機器用情報提示装置に関する。
【背景技術】
【０００２】
従来より、車両の運転者を含む乗員がモニタ上に表示されたリストを視認しながらカーソル等のスイッチ操作を行ったり、マイクに音声入力をして、車載器機に各種処理を行わせる技術が知られている。このような技術は、例えば、複数の選択項目から何れかの選択項目を選択させるに際して使用されている。
【０００３】
このとき、モニタ上等にリスト表示する車載器機用情報提示装置としては、スイッチ操作を検出したり、音声入力に対して音声認識処理をすることによりユーザの指示内容を解釈して、ユーザの指示した項目を選択したり、選択した項目に基づいて車載器機を制御する処理をしていた。このような車載器機用情報提示装置としては、例えば特許文献１に記載された技術が知られている。
【０００４】
この特許文献１には、車両が急加速や急減速を行っている状態であると判定した場合には、スイッチ操作が行われても、スイッチ信号を車載機器側に出力しないように制御する車載機器用情報提示装置が開示されている。これにより、この車載機器用情報提示装置は、搭乗者の姿勢が不安定になりがちな状況における車載機器のスイッチ誤操作を防止することができるとしている。
【特許文献１】特開２０００−１００２７２号公報
【発明の開示】
【発明が解決しようとする課題】
【０００５】
しかしながら、従来の車載機器用情報提示装置においては、運転中にモニタ上にリストを表示させることにより、ユーザにリストを視認させながらカーソル等のスイッチ操作を行わせることによって項目の設定作業を行わせる場合には、ユーザの視線が必然的に前方から奪われるという問題があった。
【０００６】
一方、従来の車載機器用情報提示装置においては、音声認識を用いた項目の設定作業を行わせる場合には、未だ音声認識率が低いという問題がある。特に、例えば発声者が風邪を患っていて発声しにくい状況などでは、言葉を発する行為自体にユーザに煩雑感を与えるという問題があった。
【０００７】
そこで、本発明は、上述した問題に鑑みて提案されたものであり、運転状況に応じて効率よく項目の設定操作を行わせることができる車載機器用情報提示装置を提供することを目的とするものである。
【課題を解決するための手段】
【０００８】
本発明に係る車載機器用情報提示装置では、検出された運転状況に応じて、特定項目を認識する手段として、表示情報として提示された項目候補の中から特定項目を選択する表示情報用項目選択手段と、音声情報として提示された項目候補の中から特定項目を選択する音声情報用項目選択手段とを切り替えることにより、上述の課題を解決する。
【発明の効果】
【０００９】
本発明に係る車載機器用情報提示装置によれば、表示情報と音声情報という異なる形態によって提示された項目候補の中から特定項目を選択するので、検出された運転状況に応じた適切な項目設定作業を行わせることができる。
【発明を実施するための最良の形態】
【００１０】
以下、本発明を適用した具体的な実施形態について図面を参照しながら詳細に説明する。
【００１１】
［第１実施形態］
先ず、本発明を適用した第１実施形態に係る車載機器用情報提示装置１０について説明する。
【００１２】
［車載機器用情報提示装置の構成］
本発明は、図１に示すように、表示情報用項目選択部１１、音声情報用項目選択部１２、項目選択方式切替部１３及び音声用情報提示内容変更部１４を機能的に有する車載機器用情報提示装置１０に適用される。
【００１３】
この車載機器用情報提示装置１０は、例えば車両のインストルメントパネル内に収容され、車両に乗車したユーザから視認可能な位置に設けられたモニタ部１５及び表示用項目選択操作部１６、スピーカ部１７及び音声用項目選択操作部１８と接続されると共に、運転状況検出部１９及び車載機器２０が接続されて構成されている。
【００１４】
ここで、車載機器２０は、例えばナビゲーションシステム、ＩＴ（Information Technology）機器、エアコンディショナーが挙げられ、車載機器用情報提示装置１０は、これらの各種機器の動作内容を示す項目が選択された場合に、当該項目を示す制御信号を車載機器２０に送る。更に具体的には、車載機器用情報提示装置１０は、ナビゲーションシステムの目的地設定、情報検索システムによるレストラン検索、着信メールの読み上げ、各種車載機器２０の状態設定等をユーザに選択させるために、複数の項目からなるリストを表示する。
【００１５】
表示情報用項目選択部１１は、ユーザインターフェースとして、モニタ部１５及び表示用項目選択操作部１６が接続されている。この表示情報用項目選択部１１は、ユーザに選択を促す項目候補をモニタ部１５上に表示情報として表示させることによって、ユーザに情報提示をする。このとき、表示情報用項目選択部１１は、図示しないＲＯＭに記憶された表示データを読み出してモニタ部１５に送ることにより、複数の項目を含むリストをモニタ部１５に表示させる。
【００１６】
また、表示情報用項目選択部１１は、表示用項目選択操作部１６にユーザによるスイッチ操作がなされると、当該操作内容を示す操作入力信号を入力する。そして、表示情報用項目選択部１１は、操作入力信号を入力したことに応じて、現在モニタ部１５に表示させている項目のうち、ユーザにより選択された何れかの項目を特定項目として選択する。これにより、表示情報用項目選択部１１は、特定項目が車載機器２０の処理内容を決定する項目である場合には、当該特定項目が選択されたことを示す制御信号を車載機器２０に送る。これに対し、表示情報用項目選択部１１は、特定項目が下位層のリストを表示する項目である場合には、当該下位層のリストを示す表示データを読み出してモニタ部１５に表示させる。
【００１７】
このような表示情報用項目選択部１１では、項目選択方式切替部１３により、操作入力信号を受け付ける状態となるアクティブ状態か否かが設定される。
【００１８】
音声情報用項目選択部１２は、ユーザインターフェースとして、スピーカ部１７及び音声用項目選択操作部１８が接続されている。この音声情報用項目選択部１２は、ユーザに選択を促す項目候補をスピーカ部１７を介して音声情報として出力することによって情報提示をする。このとき、音声情報用項目選択部１２は、図示しないＲＯＭに記憶された音声データを読み出してスピーカ部１７に送ることにより、複数の項目を含むリストをスピーカ部１７から放音させる。
【００１９】
また、音声情報用項目選択部１２は、音声情報用項目選択操作部１８にユーザによるスイッチ操作がなされると、当該操作内容を示す操作入力信号を入力する。そして、音声情報用項目選択部１２は、操作入力信号を入力したことに応じて、スピーカ部１７を介して提示した項目候補のうち、ユーザにより選択された何れかの項目を特定項目として選択する。これにより、音声情報用項目選択部１２は、特定項目が車載機器２０の処理内容を決定する項目である場合には、当該特定項目が選択されたことを示す制御信号を車載機器２０に送る。これに対し、音声情報用項目選択部１２は、特定項目が下位層のリストを表示する項目である場合には、当該下位層のリストを示す音声データを読み出してスピーカ部１７から放音させる。
【００２０】
このような音声情報用項目選択部１２では、項目選択方式切替部１３により、項目内容を報恩して操作入力信号を受け付ける状態となるアクティブ状態か否かが設定される。
【００２１】
項目選択方式切替部１３は、運転状況を検出する運転状況検出部１９によって検出された運転状況情報に応じて、表示情報用項目選択部１１又は音声情報用項目選択部１２の何れかをアクティブ状態とするように切換制御をする。
【００２２】
音声用情報提示内容変更部１４は、運転状況検出部１９からの運転状態情報に応じて、音声情報用項目選択部１２による音声出力内容を変更させることにより、ユーザに提示する音声情報の内容を変更する。これにより、音声情報用項目選択部１２では、音声用情報提示内容変更部１４によって音声出力内容が変更されると、運転状況に応じた音声データを読み出してスピーカ部１７から放音させる動作をする。なお、この音声出力内容を変更する処理の具体的な内容については後述する。
【００２３】
［車載機器用情報提示装置の具体的構成例］
このように機能的に構成された車載機器用情報提示装置１０では、図２（ａ）に示すように、車両のインストルメントパネル内に設けられ、モニタ部１５がインストルメントパネル中央部といった運転者から視認可能な位置に設けられる。一方、表示用項目選択操作部１６は、図２（ｂ）に示すように、モニタ部１５に項目と共に表示されるカーソルを上下左右方向に移動させるための４つのスイッチと、これら４つのスイッチの中央に設けられる決定操作を行うための決定スイッチとから構成され、運転者から操作可能な位置に設けられる。
【００２４】
また、表示情報用項目選択部１１は、ナビゲーションシステムの目的地設定を行う場合には、図２（ｃ）に示すように、目的地を設定するために指定する都道府県名を示す複数の項目候補からなるリストとしてモニタ部１５に表示させる。そして、表示情報用項目選択部１１では、モニタ部１５に表示されたリストから特定項目を選択させるために、表示用項目選択操作部１６の操作に応じた操作入力信号に応じて該当する項目にカーソルを移動表示させ、決定スイッチが押下されることにより特定項目を認識する。そして、表示情報用項目選択部１１は、選択された特定項目が示す情報を、ナビゲーションシステムとしての車載機器２０に出力することになる。
【００２５】
また、スピーカ部１７は、図３（ａ）に示すように、車室内における所定の位置に設けられる。一方、音声用項目選択操作部１８は、図３（ｂ）に示すように、決定操作を行うための決定スイッチから構成され、表示用項目選択操作部１６と共にユーザから操作可能な位置に設けられる。音声情報用項目選択部１２は、ナビゲーションシステムの目的地設定を行う場合には、目的地を設定するために指定する都道府県名を示す複数の項目候補からなるリストとして順次読み上げ、スピーカ部１７から各項目を順次放音させる。そして、音声情報用項目選択部１２では、スピーカ部１７を介して項目を放音した差異に音声用項目選択操作部１８が操作されたことに応じて、当該項目を特定項目として認識する。そして、音声情報用項目選択部１２は、選択された特定項目が示す情報を、ナビゲーションシステムとしての車載機器２０に出力することになる。
【００２６】
［項目選択方式切替処理］
つぎに、上述したような車載機器用情報提示装置１０において、項目選択方式切替部１３による項目選択方式切替処理の処理手順について図４のフローチャートを参照して説明する。
【００２７】
まず、車載機器用情報提示装置１０は、ステップＳ１において、運転状況検出部１９により検出された運転状況を入力する。ここで、運転状況検出部１９が例えば車速センサにて構成された場合、車載機器用情報提示装置１０は、現在の車速Ｖを取り込み、この車速Ｖを運転状況情報として項目選択方式切替部１３に供給する。
【００２８】
続いて、車載機器用情報提示装置１０は、ステップＳ２において、項目選択方式切替部１３により、ステップＳ１にて取り込んだ車速Ｖが、０Ｋｍ／ｈよりも大きいか否かを判定する。
【００２９】
ここで、項目選択方式切替部１３は、車速Ｖが０Ｋｍ／ｈよりも大きいと判定した場合には、運転中であると判定し、ステップＳ３において、音声情報用項目選択部１２をアクティブ状態とする制御信号を音声情報用項目選択部１２に送る。これにより、車載機器用情報提示装置１０では、複数の項目からなるリストを提示する処理、当該リストに含まれる項目から何れかの特定項目を選択させる処理を音声情報用項目選択部１２により行わせる。
【００３０】
一方、項目選択方式切替部１３は、車速Ｖが０Ｋｍ／ｈであると判定した場合には、停止中であると判定し、ステップＳ４において、表示情報用項目選択部１１をアクティブ状態とする制御信号を表示情報用項目選択部１１に送る。これにより、車載機器用情報提示装置１０では、複数の項目からなるリストを提示する処理、当該リストに含まれる項目から何れかの特定項目を選択させる処理を表示情報用項目選択部１１により行わせる。
【００３１】
そして、車載機器用情報提示装置１０は、項目選択方式切替部１３により、車両のキー操作状態を示すアクセサリースイッチがオフであるか否かを判定し、アクセサリースイッチがオフでないと判定した場合には、ステップＳ１からの処理を繰り返し、アクセサリースイッチがオフであると判定した場合には、そのまま一連の処理を終了する。
【００３２】
すなわち、項目選択方式切替部１３は、運転状況検出部１９によって検出された車速Ｖに基づいて、現在の運転状況が運転中であるか停止中であるかを判定し、運転中であると判定した場合には音声情報用項目選択部１２を使用する一方で、停止中であると判定した場合には表示情報用項目選択部１１を使用するように切り替える。そして、項目選択方式切替部１３は、このような切替処理をアクセサリースイッチがオフになるまで行うことになる。
【００３３】
［車載機器用情報提示装置１０の具体的処理例］
つぎに、車載機器用情報提示装置１０において、車両が走行中における具体的な処理例について説明する。
【００３４】
上述した車載機器用情報提示装置１０において、音声用情報提示内容変更部１４は、例えば五十音読みの階層に基づいて、音声出力による情報提示内容を変更するように設定されている。具体的には、音声用情報提示内容変更部１４は、音声出力による情報提示内容を、最上層では、選択すべき項目の最初の言葉が、「あ段・か段・さ段・た段・な段・は段・ま段・や段・ら段・わ段」のどれに当てはまるかを選択するために、「あ・か・さ・た・な・は・ま・や・ら・わ」を順次読み上げるように音声情報用項目選択部１２を制御する。
【００３５】
そして、音声用情報提示内容変更部１４は、中間層では、最上層で選択された段の構成要素を順次１つずつ読み上げ、最下層では、中間層で選択された最初の言葉に該当する項目候補を順次読み上げる、といったように、音声出力によって提示する内容を複数の階層に分割し、音声用情報提示内容変更部１２を介して最上層から順次に読み上げさせる。これにより、車載機器用情報提示装置１０では、各階層で該当する言葉が発話させた際に、音声用項目選択操作部１８を操作して特定項目を指定するための決定操作を行わせる。
【００３６】
より具体的には、車載機器用情報提示装置１０においては、図５に示すような一連の処理を実行することにより、音声用情報提示内容変更部１４によって音声出力による情報提示内容を変更する。なお、以下の処理は、ナビゲーションシステムの目的地設定を行う場合について説明したものである。
【００３７】
まず、車載機器用情報提示装置１０においては、ユーザに提示するリストが、都道府県名、市町村名、区等の大区画名、地域名等の小区画名、丁目、番地、及び号として区分されている。したがって、車載機器用情報提示装置１０では、各リストごとにユーザに音声提示をすることになる。
【００３８】
そして、車載機器用情報提示装置１０では、音声情報用項目選択部１２によりリストを提示するに際して、図５に示すステップＳ１１において、都道府県名を決定させる処理を開始し、ステップＳ１２において、音声情報用項目選択部１２により、音声による情報提示内容の最上層として「あ、か、さ、た、な・・・」と順次放音する音声データをスピーカ部１７に出力して、順次読み上げさせていく。
【００３９】
これにより、音声情報用項目選択部１２では、「あ、か、さ、た」のうち、「た」と読み上げた際に、ユーザが「東京都」を指定したい場合に、ユーザの操作によって音声用項目選択操作部１８からの操作入力信号を入力した場合には、「た段」の項目が選択されたと判断し、最上層の特定項目を認識する。これに応じて、音声用情報提示内容変更部１４では、ステップＳ１３において、特定項目「た段」の下位層に存在する中間層のリストを情報提示内容として読み上げるように変更させる。
【００４０】
このとき、音声用情報提示内容変更部１４は、「た段」の下位層に存在するリストとして、「た、ち、つ、て、と」と音声用情報提示内容変更部１２により順次読み上げさせ、「と」と読み上げた際に、音声用項目選択操作部１８が操作されることにより、中間層での特定項目が「と」であると認識する。これに応じて、音声用情報提示内容変更部１４では、ステップＳ１４において、特定項目「と」の最下層に存在する最下層のリストを情報提示内容として読み上げるように変更させる。
【００４１】
そして、音声情報用項目選択部１２は、「と」から始まる都道府県名を示す音声データをスピーカ部１７に出力することにより順次読み上げ、「とうきょう」と読み上げた際に、音声用項目選択操作部１８が操作されることにより、最下層での特定項目が「とうきょう」であると認識して、都道府県の設定を完了する。
【００４２】
車載機器用情報提示装置１０においては、ステップＳ１５において、ステップＳ１１〜ステップＳ１４の処理を市町村名、大区画名、小区画名、丁目、番地、及び号について繰り返すことにより、最終的に「東京都・・・」という住所を目的地として設定する制御信号を車載機器２０に送る。
【００４３】
なお、ここで示した例においては、音声用情報提示内容変更部１４が、どの階層を読み上げるか、どの単語を読み上げるか、及びこれらの読み上げ話速については予め設定されている場合について説明したが、車載機器用情報提示装置１０においては、階層を設定するための操作、どの言葉から読み上げを開始するかを設定するための操作、及び読み上げ話速を設定するための操作を、操作者が任意に行うことも可能である。この具体例について図６を用いて説明する。
【００４４】
まず、車載機器用情報提示装置１０においては、先ずステップＳ２１において、都道府県名を決定する。
【００４５】
具体的には、車載機器用情報提示装置１０においては、例えば「和歌山県」を指定したい場合には、ステップＳ２２において、特に図示しないが、階層及び読み上げ開始単語を設定する階層・単語設定ダイヤルがユーザにより操作され、読み上げを開始する階層を最上層に設定することを示す操作入力信号を入力する。これにより、車載機器用情報提示装置１０では、読み上げを開始する階層を最上層に設定する。これにともない、音声用情報提示内容変更部１４は、音声による情報提示内容の最上層として「あ、か、さ、た、な・・・」と音声用情報提示内容変更部１２を介した読み上げを開始させる。
【００４６】
続いて、車載機器用情報提示装置１０においては、ステップＳ２３において、特に図示しないが、話速可変ダイヤルがユーザにより操作されることにより、音声用情報提示内容変更部１２による読み上げ話速を増加させる。これにともない、音声用情報提示内容変更部１４は、読み上げ話速を増速し、「あ、か、さ、た、な、は、ま、や、ら」までを音声用情報提示内容変更部１２を介して高速に発話させる。
【００４７】
そして、車載機器用情報提示装置１０においては、操作者が話速可変ダイヤルを操作されて、音声用情報提示内容変更部１２による読み上げ話速を減少させて、音声用情報提示内容変更部１２を介して「わ」を遅く読み上げさせる。
【００４８】
車載機器用情報提示装置１０においては、音声用情報提示内容変更部１４によって「わ」の読み上げが行われた際に、音声用項目選択操作部１８により決定操作が行われると、その時点で最上層の設定を完了する。
【００４９】
次に、車載機器用情報提示装置１０においては、ステップＳ２４において、操作者が階層・単語ダイヤルを操作して最下層レベルに設定する。これにともない、音声用情報提示内容変更部１４は、ステップＳ２５において、音声による情報提示内容の最下層として「わかやまけん」と音声用情報提示内容変更部１２を介して最初に読み上げさせる。
【００５０】
そして、車載機器用情報提示装置１０においては、音声用情報提示内容変更部１２によって「わかやまけん」と読み上げさせた際に、音声用項目選択操作部１８がユーザにより操作されて決定操作が行われることにより、その時点で最下層の設定を完了し、都道府県の設定を完了する。
【００５１】
車載機器用情報提示装置１０においては、ステップＳ２６において、以降このような作業を繰り返すことにより、市町村名、大区画名、小区画名、丁目、番地、及び号のそれぞれについて設定を完了し、一連の処理を終了することになる。
【００５２】
［第１実施形態の効果］
以上詳細に説明したように、第１実施形態に係る車載機器用情報提示装置１０によれば、運転状況に応じて、表示情報用項目選択部１１と音声情報用項目選択部１２との何れかをアクティブ状態とするように項目選択方式切替部１３によって切り替えることにより、表示情報と音声情報という異なる形態によって提示された項目候補の中から特定項目を選択させることが可能となるので、検出された運転状況に応じた適切な項目設定作業を行わせることができる。
【００５３】
また、この車載機器用情報提示装置１０によれば、運転状況が停止中である場合には、表示情報用項目選択部１１をアクティブ状態とし、運転状況が運転中である場合には音声情報用項目選択部１２をアクティブ状態とするように項目選択方式切替部１３によって切り替えるので、運転中に運転者をはじめとするユーザが前方から視線を奪われる事態を回避することができ、ユーザにとって安心感を与えることができる操作環境を提供することができる。
【００５４】
さらに、この車載機器用情報提示装置１０によれば、音声情報用項目選択部１２の音声出力による情報提示内容を複数の階層に分割し、音声情報用項目選択部１２により最上層の項目から順次に読み上げさせるので、音声出力による項目設定作業を行わせるに際して、ユーザにとって極めてわかりやすい情報提供を行うことができる。
【００５５】
さらにまた、この車載機器用情報提示装置１０によれば、読み上げるべき階層又は読み上げ開始の単語を設定する所定の階層・単語設定ダイヤルを介して設定された階層又は単語から順次読み上げさせると共に、話速可変ダイヤルにより設定された読み上げ話速で順次読み上げさせるので、ユーザの操作感覚に合致した項目設定作業を行わせることが可能となる。
【００５６】
［第２実施形態］
つぎに、第２実施形態に係る車載機器用情報提示装置について説明する。なお、この第２実施形態の説明では、上述の第１実施形態と同様の部分については同一の符号を付することによってその詳細な説明を省略するものとする。
【００５７】
この第２実施形態に係る車載機器用情報提示装置は、車両停止中において表示情報用項目選択部１１による情報提示を実行している最中に、運転状況検出部１９によって停止中から運転中に遷移したことが検出された場合には、即座に音声情報用項目選択部１２による情報提示に切り替えるのではなく、項目選択作業の残量が大きい場合にのみ、音声情報用項目選択部１２による情報提示に切り替えるものである。
【００５８】
［車載機器用情報提示装置の構成］
このような第２実施形態に係る車載機器用情報提示装置において、図７に示すように、車載機器用情報提示装置３０は、表示情報用項目選択部１１、音声情報用項目選択部１２、項目選択方式切替部１３、及び音声用情報提示内容変更部１４に加えて、項目選択作業の残量を検出する項目選択作業残量検出部３１を備える点で、第１実施形態に係る車載機器用情報提示装置１０とは異なる。
【００５９】
項目選択作業残量検出部３１は、車両停止中において表示情報用項目選択部１１による情報提示を実行している最中に、運転状況検出部１９によって停止中から運転中に遷移したことが検出された場合に、例えば現在ユーザに操作を促しているモニタ部１５に表示させている階層から最下層までの階層数を計数することにより、ユーザによる項目選択作業の残量を検出する。そして、項目選択作業残量検出部３１は、検出した残量を示す情報を、項目選択方式切替部１３及び音声用情報提示内容変更部１４に供給する。
【００６０】
これに対して、項目選択方式切替部１３は、項目選択作業残量検出部３１によって検出された項目選択作業の残量に応じて、表示情報用項目選択部１１と音声情報用項目選択部１２との何れかをアクティブ状態にするかを切り替える。具体的には、項目選択方式切替部１３は、項目選択作業残量検出部３１によって検出された項目選択作業の残量が大きい場合にのみ、表示情報用項目選択部１１から音声情報用項目選択部１２にアクティブ状態とする切り替えを行う。
【００６１】
また、音声用情報提示内容変更部１４は、項目選択作業残量検出部３１によって検出された項目選択作業の残量の大きさに応じて、音声出力による情報提示内容を変更する。
【００６２】
［車載機器用情報提示装置の動作］
このような車載機器用情報提示装置３０においては、図８に示すような一連の工程を経ることにより、項目選択作業残量検出部３１によって検出された項目選択作業の残量に応じて、項目を選択操作する手段として表示情報用項目選択部１１と音声情報用項目選択部１２とを項目選択方式切替部１３によって切り替える。なお、ここでは、初期状態では車両が停止している状態であることを前提として説明するものとする。
【００６３】
まず、項目選択方式切替部１３は、ステップＳ３１において、運転状況検出部１９からの運転状況情報及び表示情報用項目選択部１１の制御状態から、停止中に表示情報用項目選択部１１をアクティブ状態にして、ユーザが項目選択作業中であるか否かを判定する。
【００６４】
ここで、項目選択方式切替部１３は、停止中に表示情報用項目選択部１１を使用して項目選択作業中でないと判定した場合には、項目選択作業残量検出部３１を介した処理を行う必要がないので、そのまま一連の処理を終了する。
【００６５】
一方、項目選択方式切替部１３は、停止中に表示情報用項目選択部１１を使用して項目選択作業中であると判定した場合には、ステップＳ３２において、運転状況検出部１９によって検出された現在の車速Ｖ０Ｋｍ／ｈよりも大きいか否かを判定する。
【００６６】
ここで、項目選択方式切替部１３は、車速Ｖが０Ｋｍ／ｈであると判定した場合には、未だ停止中であると判定し、ステップＳ３１からの処理を繰り返す。
【００６７】
一方、項目選択方式切替部１３は、車速Ｖが０Ｋｍ／ｈよりも大きいと判定した場合には、運転状況が運転中に遷移したと判定し、ステップＳ３３において、項目選択作業残量検出部３１に項目選択作業の残量を検出するように指示を与える。これに応じて、項目選択作業残量検出部３１は、停止中に実行された項目選択作業の残量を検出する。
【００６８】
そして、項目選択方式切替部１３は、ステップＳ３４において、項目選択作業残量検出部３１によって検出された項目選択作業の残量が所定値以上であるか否かを判定する。なお、項目選択方式切替部１３は、例えば、項目選択作業残量検出部３１によって検出された項目候補の残量が７個以上である場合には、項目選択作業の残量が所定値以上であると判定する。また、項目選択方式切替部１３は、目的地設定作業のように作業に階層性がある場合には、項目選択作業残量検出部３１による検出の結果、項目候補が２階層以上残存している場合には、項目選択作業の残量が所定値以上であると判定することもできる。
【００６９】
ここで、項目選択方式切替部１３は、項目選択作業残量検出部３１によって検出された項目選択作業の残量が所定値以上であると判定した場合には、ステップＳ３５において、音声情報用項目選択部１２をアクティブ状態とするように切り替え、一連の処理を終了する。
【００７０】
一方、項目選択方式切替部１３は、項目選択作業残量検出部３１によって検出された項目選択作業の残量が所定値未満であると判定した場合には、ステップＳ３６において、運転状況が運転中に遷移したにもかかわらず、表示情報用項目選択部１１をアクティブ状態としたままとして使用する。
【００７１】
このように、項目選択方式切替部１３は、表示情報用項目選択部１１による項目選択作業を実行している最中に、車両が停止中から運転中に遷移した場合には、一意的に音声情報用項目選択部１２に切り替えるのではなく、項目選択作業残量検出部３１によって検出された項目選択作業の残量に基づいて、音声情報用項目選択部１２をアクティブ状態に切り替えるか否かを判定する。そして、項目選択方式切替部１３は、このような切替処理をアクセサリースイッチがオフになるまで行うことになる。
【００７２】
なお、ここでは、車両が停止中から運転中に遷移する場合についての切替について説明したが、車載機器用情報提示装置３０においては、運転中から停止中に遷移する場合についても、同様の切替処理を行うようにしてもよい。すなわち、車載機器用情報提示装置３０では、運転中において音声情報用項目選択部１２による項目選択作業を実行している最中に、運転状況検出部１９によって運転中から停止中に遷移したことが検出された場合には、項目選択作業残量検出部３１によって検出された運転中に実行された当該音声情報用項目選択部１２による項目選択作業の残量に基づいて、表示情報用項目選択部１１をアクティブ状態に切り替えるか否かを判定するようにしてもよい。
【００７３】
また、車載機器用情報提示装置３０では、操舵操作状況又はナビゲーションシステムのカーブ情報を運転状況として運転状況検出部１９によって検出し、操舵頻度が所定値以上であると判定した場合には、項目候補の個数の多さに応じて、どの階層の音声出力による情報提示内容から提示を開始するかを音声用情報提示内容変更部１４によって決定するようにしてもよい。
【００７４】
なお、車載機器用情報提示装置３０においては、運転中と停止中とで項目選択の方法を切り替えることに起因して、例えば渋滞時におけるように頻繁に停止と運転とが切り替わる状況では操作者が混乱するおそれがある、という懸念はあるものの、１つの設定項目を完了するまでの時間内に運転と停止とを頻繁に繰り返すような状況は想定し難いので、問題はないと思われる。
【００７５】
［第２実施形態の効果］
以上詳細に説明したように、第２実施形態に係る車載機器用情報提示装置３０によれば、項目選択作業の残量が所定値以上である場合にのみ、音声情報用項目選択部１２をアクティブ状態に項目選択方式切替部１３によって切り替えると共に、項目選択作業の残量の大きさに応じて、音声用情報提示内容変更部１４の音声出力による情報提示内容を変更することにより、不要な設定方法の切替を低減することができ、ユーザに与える煩雑感を軽減することができる。
【００７６】
また、この車載機器用情報提示装置３０においては、運転中において音声情報用項目選択部１２による項目選択作業を実行している最中に、運転状況が運転中から停止中に遷移したことが検出された場合には、運転中に実行された音声情報用項目選択部１２による項目選択作業の残量を検出し、この検出された項目選択作業の残量が所定値以上である場合にのみ、表示情報用項目選択部１１をアクティブ状態に切り替えることにより、同様の効果を得ることができる。
【００７７】
さらに、この車載機器用情報提示装置３０によれば、操舵操作状況又はナビゲーションシステムのカーブ情報に基づいて検出される操舵頻度が所定値以上であると判定した場合に、項目候補の個数の多さに応じて、どの階層の音声出力による情報提示内容から提示を開始するかを決定するので、設定操作を行う余裕がないような状況であっても、その状況に適した音声情報を提供することができ、項目設定作業を円滑に行うことが可能となる。
【００７８】
［第３実施形態］
つぎに、第３実施形態に係る車載機器用情報提示装置について説明する。なお、第３実施形態に係る車載機器用情報提示装置は、先に図１又は図７に示したものと同様の構成とされる。この第３実施形態の説明では、上述の第１実施形態及び第２実施形態と同様の部分については同一の符号を付することによってその詳細な説明を省略するものとする。
【００７９】
この第３実施形態に係る車載機器用情報提示装置は、音声出力による情報提示内容に関する各階層における読み上げについて、読み上げる順序を過去の操作履歴に基づいて決定し、操作履歴が最も多いものが該当する読み上げ内容から順次読み上げると共に、最初に読み上げる項目について読み上げ話速を遅くするものである。
【００８０】
［車載機器用情報提示装置の動作］
車載機器用情報提示装置においては、図９に示すような一連の工程を経ることにより、読み上げる順序を過去の操作履歴に基づいて決定し、操作履歴が最も多いものが該当する読み上げ内容から順次音声情報用項目選択部１２によって読み上げると共に、最初に読み上げる項目について読み上げ話速を遅くする。
【００８１】
まず、音声用情報提示内容変更部１４は、ステップＳ４１において、音声情報用項目選択部１２を介して音声出力による情報提示内容における各階層での読み上げを開始させる際に、その階層で読み上げる項目候補の中で、最も設定頻度の多いものを抽出し、この最頻度項目をその階層で最初に読み上げる項目候補とする。
【００８２】
続いて、音声用情報提示内容変更部１４は、ステップＳ４２において、音声情報用項目選択部１２を介して最初に読み上げさせる項目候補についてのみ、読み上げ話速を他の読み上げ話速よりも遅くして項目候補を読み上げさせる。
【００８３】
そして、音声用情報提示内容変更部１４は、ステップＳ４３において、音声情報用項目選択部１２による最初に読み上げる項目の読み上げが終了すると、それ以降の項目については通常の読み上げ話速に戻し、読み上げを継続させる。
【００８４】
このように、音声用情報提示内容変更部１４は、音声出力による情報提示内容に関する各階層における読み上げについて、音声情報用項目選択部１２を介して読み上げさせる順序を過去の操作履歴に基づいて決定し、操作履歴が最も多いものが該当する読み上げ内容から順次読み上げさせる際に、最初に読み上げさせる項目についての読み上げ話速を遅くすることができる。
【００８５】
［第３実施形態の効果］
以上詳細に説明したように、第３実施形態に係る車載機器用情報提示装置によれば、音声情報用項目選択部１２を介した音声出力による情報提示内容に関する各階層における読み上げについて、当該音声情報用項目選択部１２を介して読み上げさせる順序を過去の操作履歴に基づいて決定し、操作履歴が最も多いものが該当する読み上げ内容から順次読み上げさせることにより、より効果的に音声出力による項目設定作業を行うことが可能となる。
【００８６】
このとき、音声用情報提示内容変更部１４は、音声情報用項目選択部１２を介して最初に読み上げさせる項目についての読み上げ話速を遅くするので、項目設定作業を行っている最中の聞き漏らしが生じる事態を軽減することができる。
【００８７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００８８】
【図１】本発明を適用した第１実施形態に係る車載機器用情報提示装置の構成を示すブロック図である。
【図２】本発明を適用した第１実施形態に係る車載機器用情報提示装置における表示情報用項目選択部について説明するための図であって、（ａ）はモニタ部及び表示用項目選択操作部の配置を説明するための車室内の様子を示す図、（ｂ）は表示用項目選択操作部の外観構成を示す平面図、（ｃ）はモニタ部の表示内容例を示す図である。
【図３】本発明を適用した第１実施形態に係る車載機器用情報提示装置における音声情報用項目選択部について説明するための図であって、（ａ）はスピーカ部及び音声用項目選択操作部の配置を説明するための車室内の様子を示す図、（ｂ）は音声用項目選択操作部の外観構成を示す平面図である。
【図４】本発明を適用した第１実施形態に係る車載機器用情報提示装置における項目選択方式切替部によって項目を選択操作する手段を切り替える際の処理手順を示すフローチャートである。
【図５】本発明を適用した第１実施形態に係る車載機器用情報提示装置における音声用情報提示内容変更部によって音声出力による情報提示内容を変更する際の処理手順を示すフローチャートである。
【図６】本発明を適用した第１実施形態に係る車載機器用情報提示装置における音声用情報提示内容変更部によって音声出力による情報提示内容を変更する際の他の処理手順を示すフローチャートである。
【図７】本発明を適用した第２実施形態に係る車載機器用情報提示装置の構成を示すブロック図である。
【図８】本発明を適用した第２実施形態に係る車載機器用情報提示装置における項目選択方式切替部によって項目を選択操作する手段を切り替える際の処理手順を示すフローチャートである。
【図９】本発明を適用した第３実施形態に係る車載機器用情報提示装置における音声情報用項目選択部１２によって項目を読み上げる際の処理手順を示すフローチャートである。
【符号の説明】
【００８９】
１０，３０  車載機器用情報提示装置
１１  表示情報用項目選択部
１２  音声情報用項目選択部
１３  項目選択方式切替部
１４  音声用情報提示内容変更部
１５  モニタ部
１６  表示用項目選択操作部
１７  スピーカ部
１８  音声用項目選択操作部
１９  運転状況検出部
２０  車載機器
３１  項目選択作業残量検出部
【図１】
2005053331.tif 000003
【図２】
2005053331.tif 000004
【図３】
2005053331.tif 000005
【図４】
2005053331.tif 000006
【図５】
2005053331.tif 000007
【図６】
2005053331.tif 000008
【図７】
2005053331.tif 000009
【図８】
2005053331.tif 000010
【図９】
2005053331.tif 000011